(57)【要約】【課題】ガスタービンエンジン用の熱交換装置に関する。【解決手段】当該装置は、アウターカウル３２内に流路３１を備えており、当該流路３１は、当該流路に沿った中間に熱交換器４３を配置する。バルブ３８は、前記カウル３２の外部から、及び／または、圧縮流体流れ３６から、の流体を前記流路３１内に選択的に受け入れるために、流路３１の吸気口端部に設けられている。流路３１からの出口部３４は、熱交換器４３及び場合によっては他の排気流れから排気される冷却気体流れを受け入れるためにプレナムチャンバを含んでいる。その上、熱交換器排気流れ３４は、エンジン構成要素を冷却するために利用されている。【選択図】図１
2011231767.tif 000002
【特許請求の範囲】
【請求項１】
タービンによって駆動されるコンプレッサと、
第二タービンによって駆動される主要推進ロータと、
を備えたガスタービンエンジンであって、
燃焼室が、前記コンプレッサと前記タービンとの間に配置されており、
前記主要推進ロータは、燃焼室の下流に設けられており、
当該エンジンは、熱交換装置を更に備え、
前記熱交換装置は、アウターカウル内の流路と、前記流路に沿った吸気口と排気口との間の中間位置の熱交換器と、を有しており、
前記流路は、前記エンジンを通る圧縮流体流れに対して配置され、
前記吸気口は、前記エンジンの外部からの流体を前記流路内に受け入れるための第一位置と前記圧縮流体流れからの流体を前記流路内に受け入れるための第二位置との間で選択的に可動なバルブを有し、
前記排気口は、前記圧縮流体流れに連結されるプレナムチャンバを有する
ことを特徴とするガスタービンエンジン。
【請求項２】
前記プレナムチャンバは、前記カウルからの排気経路にも連結されている
ことを特徴とする請求項１に記載のエンジン。
【請求項３】
前記排気経路は、前記カウルと前記圧縮流体流れとの間に熱遮蔽を提供する
ことを特徴とする請求項２に記載のエンジン。
【請求項４】
前記プレナムチャンバは、エンジン構成要素を冷却するための排気経路に連結されている
ことを特徴とする請求項１に記載のエンジン。
【請求項５】
前記熱交換器は、潤滑オイルの空冷のために設けられている
ことを特徴とする請求項１に記載のエンジン。
【請求項６】
前記バルブは、フラップバルブである
ことを特徴とする請求項１に記載のエンジン。
【請求項７】
制御装置が、前記第一位置と前記第二位置との間で前記バルブを移動させるために設けられている
ことを特徴とする請求項１に記載のエンジン。
【請求項８】
前記カウルを通過する外部流量を測定するセンサが、制御装置に作用的に接続されて設けられており、
所定値を越える外部流量が検知される場合には前記バルブは第一位置内にあり、それ以外の場合には前記バルブは第二位置内にある、というように構成されている
ことを特徴とする請求項７に記載のエンジン。
【請求項９】
前記バルブは、前記カウルの外部と前記圧縮流体流れとの両方から前記流路内へ選択的に流体を受け入れるように構成され得る
ことを特徴とする請求項７に記載のエンジン。
【請求項１０】
前記プレナムチャンバは、前記流路に沿って流体流れを引込むために前記圧縮流体流れに連結されている
ことを特徴とする請求項１に記載のエンジン。
【請求項１１】
前記流路は、個別のダクトによって提供されている
ことを特徴とする請求項１に記載のエンジン。
【請求項１２】
前記ダクトは、前記カウルと一体になっている
ことを特徴とする請求項１１に記載のエンジン。
【請求項１３】
前記ダクトは、カウルドア内に設けられている
ことを特徴とする請求項１１に記載のエンジン。
【請求項１４】
前記ダクトは、前記カウルを補強するように作用する
ことを特徴とする請求項１１乃至１３のいずれかに記載のエンジン。
【請求項１５】
前記ダクトは、前記カウルドアにヒンジ結合されている
ことを特徴とする請求項１３に記載のエンジン。
【請求項１６】
前記熱交換器からの排気ダクトが、前記熱交換器の排気を利用した冷却作用を提供するために、前記カウルの外面と接触するように配置されている
ことを特徴とする請求項１に記載のエンジン。
【請求項１７】
前記プレナムチャンバは、前記エンジンを通る他の流体流れを受け入れるように配置されている
ことを特徴とする請求項１に記載のエンジン。
【請求項１８】
開口が、前記エンジンの外部からの流体を前記流路内に受け入れるために、前記アウターカウルの外面内に設けられていて、かつ、前記バルブに繋がっている
ことを特徴とする請求項１に記載のエンジン。
【請求項１９】
開口が、前記エンジンの外部からの流体を前記流路内に受け入れるために、前記コンプレッサの上流で前記エンジンの空気取込口内に設けられていて、かつ、前記バルブに繋がっている
ことを特徴とする請求項１に記載のエンジン。
【発明の詳細な説明】
【技術分野】
【０００１】
本発明は、リアダクトファンまたはリアプロペラ装置と、ギアボックス用の潤滑オイル及びエンジン内部のエンジン機能用の潤滑オイルを冷却するための熱交換装置と、を備えたオープンロータ構造ガスタービンエンジンに関する。
【背景技術】
【０００２】
ガスタービンエンジン内部では、適切な熱交換器を介してギアボックスオイル同様にエンジンオイルを冷却することが重要である、ということが認められている。そのような場合、エンジンと潤滑オイルとの劣化が、抑制され得る。熱交換器の効果的な作用を提供するためには、一般的に、ファン伝送空気が、冷却空気が機外へ排気される前に、冷却空気をエンジンオイル熱交換器へ送るように利用されている。ファン伝送空気と周囲との間の圧力差は、熱交換器の冷却空気流れを作り出すために利用されている。そのような冷却空気の排気は、典型的には、エンジンに対して外側のケーシング内またはカウル内の排気弁を介して行われており、潜在的に推力を取り返すために後方へ噴出されている。冷却空気は、一般的に圧縮段階から取り出されて、そのため、そのような冷却気体流れによってエンジン効率の対応ロスがある、ということが理解されている。
【０００３】
熱交換器が吸気口から排気口への適切な流路に沿って中間にあるというような、当該適切な流路の適合（収納）が必要である。大きいガスタービンエンジンに関しては、そのような流路の適合は受け入れられるものであり、冷却気体流れの抽出についても容易な可能性がある。しかし、リアダクトファンまたはリアプロペラ装置を有するガスタービンエンジンに関しては、前記適合について問題がある。
【発明の概要】
【発明が解決しようとする課題】
【０００４】
一般的に、オープンロータ構造に関しては、ギアボックスとエンジンとの潤滑システムの両方を一体化することが所望されており、そのような場合、潤滑オイルを冷却する熱交換器は、コアガスタービンエンジンによって生成される圧縮流体流れから冷却気体流れを取り出すことができる。そのような場合、従来のいわゆる空油熱交換構造（air oil heat exchanger configuration）が、カウルドアを介して機外へ排気される冷却気体と共に利用され得る。しかしながら、増大される冷却の要求のために、一般に大きな熱交換基盤（heat exchanger matrix）が、エンジン室カウル（nacelle cowl）内に大きな排気弁を備えることを要求されている、ということが理解される。ケーシング内またはカウルドア内において少なくともそのような大きな排気弁を回避することは、熱交換基盤のより都合の良い適合（収納）に関する性能において有利性がある。
【０００５】
オープンロータ推進構造において、典型的に、従来の熱交換器は、ロータの上流のエンジン室カウルを通じて冷却気体流れを排気するように配置されている。そのようなやり方によって、ロータへ送られる自由流れ気流上の攪乱は、ノイズ及び性能ペナルティ（障害）になり得る。
【０００６】
バイパス流れからの冷却気体流れの抽出にとって都合の良いアクセスは、常に利用できるわけではない。そのような場合、冷却気体抽出を作り出すための専用装置による不可避の重量ペナルティ（障害）を避けるために、代替手段が所望されている。エンジン自身に加えてギアボックス内の潤滑オイルに対して油冷を達成することについての追加の要求が与えられる場合には、そのような考察は特に重要である。
【課題を解決するための手段】
【０００７】
本発明によれば、タービンによって駆動されるコンプレッサと、第二タービンによって駆動される主要推進ロータと、を備えたガスタービンエンジンであって、燃焼室が、前記コンプレッサと前記タービンとの間に配置されており、前記主要推進ロータは、燃焼室の下流に設けられており、当該エンジンは、熱交換装置を更に備え、前記熱交換装置は、アウターカウル内の流路と、前記流路に沿った吸気口と排気口との間の中間位置の熱交換器と、を有しており、前記流路は、前記エンジンを通る圧縮流体流れに対して配置されており、前記熱交換装置は、前記吸気口が前記エンジンの外部からの流体を前記流路内に受け入れるための第一位置と前記圧縮流体流れからの流体を前記流路内に受け入れるための第二位置との間で選択的に可動なバルブを有し、前記排気口が前記圧縮流体流れに連結されるプレナムチャンバを有することを特徴とする、ガスタービンエンジンが提供される。
【０００８】
前記プレナムチャンバは、前記ケーシングからの排気経路にも連結されている。
【０００９】
典型的には、前記排気経路は、前記ケーシングと前記圧縮流体流れとの間に熱遮蔽を提供する。
【００１０】
前記熱交換器は、潤滑オイルの空冷のために設けられていてもよい。
【００１１】
前記バルブは、フラップバルブであってもよい。制御装置が、前記第一位置と前記第二位置との間で前記バルブを移動させるために設けられていてもよい。前記ケーシングの外側を通過する外部流量を測定するセンサが、制御装置に作用的に接続されて設けられており、所定値を越える外部流量が検知される場合には前記バルブは第一位置内にあり、それ以外の場合には前記バルブは第二位置内にある、というように構成されていてもよい。前記バルブは、前記カウルの外部と前記圧縮流体流れとの両方から前記流路内へ選択的に流体を受け入れるように構成され得る、というように配置されてもよい。
【００１２】
前記プレナムチャンバは、前記流路に沿って流体流れを引込むために前記圧縮流体流れに連結されていてもよい。
【００１３】
前記流路は、ダクトによって提供されていてもよい。前記ダクトは、前記カウルと一体になっていてもよい。あるいは、前記ダクトは、カウルドア内に設けられており、前記ダクトは、前記カウルドアにヒンジ結合されていてもよい。前記ダクトは、前記カウルを補強するように作用してもよい。
【００１４】
前記熱交換器からの排気ダクトが、前記熱交換器の排気を利用した冷却作用を提供するために、前記カウルの外面と接触するように配置されていてもよい。
【００１５】
前記プレナムチャンバは、前記エンジンを通る他の流体流れを受け入れるように配置されていてもよい。
【００１６】
１つの実施の形態においては、開口が、前記エンジンの外部からの流体を前記流路内に受け入れるために、前記アウターカウルの外面内に設けられていて、かつ、前記バルブに繋がっている。
【００１７】
他の実施の形態においては、開口が、前記エンジンの外部からの流体を前記流路内に受け入れるために、前記コンプレッサの上流で前記エンジンの空気取込口内に設けられていて、かつ、前記バルブに繋がっている。
【図面の簡単な説明】
【００１８】
【図１】本発明によるツインスプール二重反転プロペラガスタービンエンジンの概略側断面概である。
【図２】本発明の特徴に従うプレナムチャンバの概略拡大断面図である。
【発明を実施するための形態】
【００１９】
本発明の実施の形態が、添付している図面を参照しながら例として記述される。図１は、本発明によるツインスプール二重反転プロペラガスタービンエンジンの概略側断面図である。図２は、本発明の特徴に従うプレナムチャンバの概略拡大断面図である。
【００２０】
図１を参照して、ツインスプール二重反転プロペラガスタービンエンジンは、全体に符号１０で示されており、主回転軸９を有している。エンジン１０は、軸方向流れに順に、空気取込口１２と、低圧コンプレッサ１４（ＬＰＣ）と、高圧コンプレッサ１５（ＨＰＣ）と、燃焼装置１６と、高圧タービン１７（ＨＰＴ）と、低圧タービン１８（ＬＰＴ）と、出力タービン１９（ＦＰＴ）と、コア排気ノズル２０と、を有するコアエンジン１１を備えている。エンジン室（nacelle）２１は、一般的に、コアエンジン１１を囲んでおり、インテーク（取込口）１２とノズル２０とコア排気ダクト２２とを画定している。エンジン１０は、二重反転ブレードアレイ２５、２６を有する出力タービン１９に取付けられ、かつ、当該出力タービン１９によって駆動される２つの二重反転プロペラ２３、２４も備えている。
【００２１】
代替の構造が図２に示されており、対応する要素が先頭に１００を付して示されている。この構造では、プロペラ１２３、１２４が、出力タービン１１９及びギアボックスによって駆動される。
【００２２】
ガスタービンエンジン１０は、従来の態様では、インテーク１２に入る空気がＬＰＣ１４によって加速されかつ圧縮され、更なる圧縮が起こるＨＰＣ１５内に案内される、というように作用する。ＨＰＣ１５から排気される圧縮空気は混合装置１６内へ案内され、燃料と混合され、当該混合ガスが燃焼される。結果として生じる高温燃焼生成物は、推力を提供するために、ノズル２０を通じて排気される前に、高圧、定圧及び出力タービン１７、１８、１９を通じて膨張し、それによって高圧、定圧及び出力タービン１７、１８、１９を駆動する。高圧、定圧及び出力タービン１７、１８、１９は、適切な連結シャフトによって、高圧及び中圧コンプレッサ１５、１４とプロペラ２３、２４とをそれぞれ駆動する。プロペラ２３、２４は、通常、推力の大部分を提供する。
【００２３】
そのようなガスタービンエンジン１０に関して、エンジン１０のエンジン室カウル２１及びコアケーシング１１は、プロペラ２３、２４を駆動するために、比較的小さい直径を有することが、留意される。この小さい直径は、特にエンジン用のケーシングに関連して、エンジン及びギアボックスの潤滑オイル用の空油熱交換器のための熱交換装置を受け入れることに関する能力及び性能を低下させている。
【００２４】
エンジン１０は、熱交換装置３０を含んでいる。熱交換装置３０は、一般的に、アウターカウル３２内で吸気口３３と排気口３４との間に延在するように構成された流路３１を備えている。開口３５には、アウターカウル３２の外部で、吸気口３３に通じる経路３７が設けられている。吸気口３３には、典型的には低圧タービン１８によって生成される圧縮流体流れへの経路３６も通じている。
【００２５】
吸気口３３は、流路３１を経路３７へ接続する第一位置と、流路３１を経路３６へ接続する第二位置と、の間を要求通りに選択的に切換えるバルブ３８を、含んでいる。排気口３４は、一般的に、リア隔壁３９から延在するプレナムチャンバを備えている。後述されるように、プレナムチャンバは、下流の圧縮流体流れ経路４０またはアウターカウル３２を通る排気経路４１のどちらかと連結されている。
【００２６】
制御装置が、エンジン１０の空気速度に依存して経路３６と経路３７との間でバルブ３８を切換えることを可能とするために、設けられている。もしエンジン１０が適切な速度で動くならば、矢印４２の方向の外部空気流は、経路３１内の熱交換器４３内に十分な熱交換を提供することに十分であることが認められる。一方で、地上での移動に関するような他の段階においては、経路３６を通る強制空気流が、熱交換器４３を介して十分な冷却を達成するために要求される。
【００２７】
制御装置は、熱交換器４３のための冷却気体流れのこれら２つの源流の間でのバルブ３８の切換えを提供するが、両方の源流が共に（同時に）利用される状況も許容する。吸気経路３１の外側は、熱交換器４３へ流入する前に、ＬＰＣ伝送空気からの冷却を提供する自由流れ気流に接触するように配置され得る。
【００２８】
排気口３４では、図示されているように、プレナムチャンバが作り出される。コア気流排気流れ４０の移動流れによる流入を介して、冷却気体流れが当該流れ経路を通じて引込まれ得て、その結合した流れがその後エンジン排気ノズル４４を通じて排気される、というように、プレナムチャンバは圧縮流体流れの下流部分と連結され得る。そのような場合、排気流れは、主要エンジンコア排気流路へ案内され、アウター逆回転カウル３２ａの外面部分と高温圧縮流体流路との間に熱遮蔽を効果的に形成する。冷却気体排気の一部は、排気経路４１に沿って通過し、アウター逆回転構造３２ａに対して冷却を提供し、それによってエンジン構成要素に冷却を提供する。
【００２９】
前述の状況下では、図示されているように、典型的には空気の形態である冷却気体の流れは、エンジン１０に対する飛行速度に依存して、低圧コンプレッサ１４によって生成される圧縮流体流れから取り出されるか、または、自由流れ気流から取り出される。図示されているように、バルブ３８は、制御装置によって流路３１を通る流れのためのポテンシャル経路３６とポテンシャル経路３７との間で選択的に切換えるために、吸気口に取付けられている。
【００３０】
低速では、一般的に、低圧コンプレッサによって生成されるような圧縮流体流れの上流が、経路３１を通りそれゆえに熱交換器４３を通る冷却空気流の源流として利用される。カウル３２の外側にある自由空気流４２が十分に高い前進速度である場合、バルブ３８が、当該気流４２を取込んで当該気流４２を流路３１に沿って熱交換器４３へ送るように切換えられる、ということが理解される。熱交換器４３は、ギアボックスまたはエンジン稼働部から取り出される高温のオイルと冷却空気流とを熱交換するように、従来の態様で作用する。
【００３１】
外部空気流路３７は、典型的には圧縮流体流れを得るためのインテーク（取込口）４７とケーシング先端との間で、アウターカウル３２の外面における専用のシュート部を介して作り出され得る。
【００３２】
代替の形態においては、開口３５’に、エンジンインテーク１２内で中圧コンプレッサ１４の上流に吸気口３３へ案内する経路３７’が設けられている。
【００３３】
図示されているように、典型的には、熱交換器４３は、アウターカウル３２内に適合する（収容される）ように構成されて方向付けられている。そのような場合、熱交換器４３は、典型的には、コンプレッサ３７、燃焼室及びタービンエンジンコアを介して生成される圧縮流体流路を含むエンジンコア区画室の後方側へ向けて配置される。そのような配置は、エンジンコアの前端部にある場合よりも、半径方向の深さを、より有効な自由スペースとし得る。
【００３４】
前述したように、流路３１内の冷却気体流れは、一般的に、流路を形成する適切なダクトによって熱交換器４３へ送られる。当該ダクトは、典型的には、重量を最小化するためにアウターカウル３２と一体となっている。そのような場合、カウルドアの一部が、流路３１を画定するべく共に接合されるダクトを含む。ダクトが作られる原料の適切な選定によって、当該ダクトが利用中にカウルを強化し補強する補強効果を提供できる、ということが理解される。
【００３５】
一般的に、流路３１を形成するダクトは、ヒンジや取付器具に対して密封するように配置されている。そのことにより、そのようなダクトが、メンテナンスや修理のためにエンジンコア装置へのアクセシビリティを改善するべく、カウルドア上にヒンジ結合されることが許容されている。流路３１は、外部環境の空気流から冷却を提供するようにも構成されている。これは、コンプレッサ伝送空気の冷却か、または、熱交換器４３の排気流れの冷却か、どちらかが可能である。
【００３６】
前述したように、一般的に、隔壁３９は、エンジンリアマウント平面に近いところに作られる。当該隔壁３９は、本発明の特徴に従う流路及びプレナムチャンバの存在のために、適切な強度を提供している。そのような場合、流路は、隔壁３９を通ってプレナムチャンバ３４へ入る。
【００３７】
作用については、前述したように、排気口３４を形成するプレナムチャンバへ送られる排気冷却気体流れが、多くの態様で利用され得る。初めに、流路３１からの排気流れは、外部へ放出されるように配置されている。従って、下流のノズル２０にある圧縮流体流れが、利用中にカウル同士の間で作り出される環状流路４１を通る冷却気体流れを効果的に送り出すように、排気冷却気体流れを効果的に移動（流入）させる。
【００３８】
あるいは、例えば図２に示されるように、経路４１を通る排気冷却気体流れの一部１４０ａが、排気経路に沿って放射器（イジェクタ）を介して流路１４０内へ直接的に放出され得る。そのような場合、熱交換器４３からの排気冷却気体流れは、本質的に、アウター逆回転カウルの一部３２ａ（図１）と排気経路を通る高温ガス流れとの間に遮蔽を提供する。そのような流れを促進するために、当該流れに駆動推進力を与えるべく主要ロータハブ上で回転する羽根（ベーン）が設けられ得る。
【００３９】
回転ハブアセンブリ内の支柱は、コア排気流れに対して放射状に架かっており、支柱の吸込み側が当該流れを推進するために利用され得る。さらに、専用の放射器スロットを設けることによって、ハブアセンブリの軸方向コア流れ及び半径方向速度を有効に活用するために、回転ハブ外壁の統合を提供して、放射器スロットに角度を付けることが可能となり得る。回転する支柱の吸込み側表面または回転する放射器からの排気は、その後、主要エンジンコア排気流れ４０と混合される。
【００４０】
前述のやり方（アプローチ）によれば、熱交換器４３を通る十分な空気流が、中圧コンプレッサ１４によって生成される圧縮流体流れからの空気、または、外部流れ４２を通じて十分な空気速度があるところから流出する空気、に基づいて達成され得る。アウターカウル３２に連結されるダクトから形成される専用の流路を設けると共に、バルブ３８を利用することによって、熱交換器４３への流体冷却気体流れの一方または他方の選定が達成され得るし、可能であれば、２つの利用される流れの混合が達成され得る。
【００４１】
そのような場合、圧縮段階から流出する圧縮流体流れによって作り出されるエンジン全体の効率における効率低減が、外部気流４２によって必要とされない場合には、減少させられる。図示されているように、過剰の自由流れ気流４２が、必要とされるならば、利用され得る。増大する自由流れ気流の利用は、熱交換器４３への冷却機能を提供するために利用され得て、更に、過剰の流量（マスフローレート）のおかげで、オープンロータアセンブリの下流冷却を支援するべく熱交換器排気温度を下げることにも利用され得る。
【００４２】
空油熱交換器排気流れと同様、他のシステムからの排気は、出口部３４を画定するプレナムチャンバへ送られ得ることが好ましい。そのような場合、エンジンのリアは、エンジン室ケーシングまたはエンジン室カウルを通る他の排気流れを最小化または取除くように、配置され得る。当該プレナムチャンバ内に配置され得る排気の他の形態とは、発電器空油熱交換器排気、エンジンが利用する流出流れ、通気口（breather）流れ、及び、排気流れを含んでいる。
【００４３】
本発明の特徴により、ガスタービンエンジンを利用するオープンロータ推進システムにおけるより好ましい熱交換装置の適合（収納）が達成され得る。エンジンの構造は、最小限の変更のみを要求し、かつ、エンジン室またはアウターカウルを通る排気流れを取り除き、結果として段差や隙間の結果としてのエンジン室(nacelle)抵抗の低減についての利益をもたらす。ロータ上流の排気流れと擾乱とを最小化しながら、ロータ性能やノイズに関する潜在的利益が、達成され得る。
【００４４】
前述したように、一般的に、空油熱交換器排気流れは、典型的にはほぼ２００℃程度であり、そのような場合、排気経路内の高温（典型的にはほぼ６００℃程度）エンジン排気流れからオープンロータ推進ギアボックス及びカウル３２ａを遮蔽し得る。ロータハブの回転によって、排気経路４１を通る冷却気流を送り出し、それにより排気流れを更に促すことが可能である。
【００４５】
前述したように、プレナムチャンバの形態の出口部３４は、エンジン室カウルまたはケーシングを通り作動効率を下げてしまうような排気流れを最小化するまたは取除くために、他の排気流れを受け入れるように、利用され得る。図２は、出口部１３４の拡大図を提供する。その中で図示されているように、発電器空油熱交換器からの排気流れや、通気口（breather）及びエンジンが利用する流出流れ１３０と同様に、エンジン空油熱交換器からの排気流れは、出口部１３４を画定するプレナムチャンバへ送られる。
【００４６】
このように、再流れが、エンジンのロータへ送られる時に航空力学及び乱流の観点から作動効率に影響を与え得る排気及び開口を避けながら、熱交換器を通じて促進される、というように、前記流れは、矢印１４５の方向に放出され得るか、あるいは、前記流れは、適切な放射器を介してエンジンコア内で圧縮流体流れと、及び、とりわけ矢印１４０の方向に図示されているエンジンコアのタービンからの流出流れと、混合され得る。冷却流れは、第一及び第二ロータ位置上の羽根を通って、矢印１４０ａ及び１４０ｂによって別々に示されている。
【００４７】
外部空気１３１が、特に流れ１４５に関して、追加の冷却流れのために流入させられる、ということもまた理解される。この追加の冷却流れは、図１内に出口部流れに関して図示されているように、エンジンコア流れ１４１内の高温ガスの熱遮蔽に利用され得る。外部流れ１３１は、エンジン室カウルまたはケーシングとロータ外面の空気表面との間のスプリートライン（split line）を介して取り除かれ得る。
【００４８】
図１は、二重反転プロペラガスタービンエンジンを示している。本発明は、リアダクトファンを有するエンジンにも適用可能である。リアダクトファンの位置は、図１において破線５０によって示されている。
【００４９】
本発明は、スペースが制限されている前述したタイプのガスタービンエンジン内に熱交換装置を設けることを可能にする。そのような装置は、ノイズ及び性能障害に関して問題が削減された態様で、熱交換器から冷却気体流れを排気することを可能にする。
【００５０】
前述したように、前記装置は、作動効率のために熱交換器を通る十分な気流を維持しながらより効率的な作用を与えるように、外部流れ源流４２から流路へ入る気流と、圧縮流体流れと、の間の選択的な切換えを介している。
【００５１】
本発明の特徴に対する他の変更形態や代替形態が、当業者にとって十分認識される。例えば、図示されているように、一般的に外部流路と圧縮流体流路との間を切換可能であるバルブが、熱交換器のための流路内へ流れを送るために利用される。そのような場合、一般的に、当該バルブを適切に設定するように作用する制御装置が設けられる。
【００５２】
当該制御装置は、外部空気流４２についての空気速度を測定するセンサと連結される。そして、当該空気流が十分であるならば、前記センサは信号を提供する。もし前記信号が特定のレベルを越えている場合、制御装置は、要求に応じて外部流れ４２または圧縮流れまたは混合流れを取入れるように、第二位置にバルブを設定する、というように構成される。
【００５３】
前記制御装置は、熱交換器４３について必要な作動機能を決定する手段もまた含むことが好ましい。そのような場合、高い要求の期間中、より多くの気流が、熱交換器４３内のオイルまたは類似物を冷却するために、外部流れと圧縮流れとの組合せによって得られ得る。そのような場合、前記制御装置は、要求に応じて前記バルブを設定する。前記制御装置は、コア流れ４０内へ放射する放射器に関するプレナムチャンバについては、要求に応じて流路３１を通る空気流の更なる引込み及び取込みを再び促すように、圧力差によって作用する。
【図１】
2011231767.tif 000003
【図２】
2011231767.tif 000004
【外国語明細書】
2011231767000001.pdf